(57)【要約】【課題】操作ノブに起因する圧力損失及び外観の低下をともに抑制する。【解決手段】リテーナ２０は筒状をなし、その内部の通風路２２の下流端を長方形の吹出口２４とする。下流側フィン４６は、吹出口２４の第１辺に沿う方向（左右方向）に延びる板状体からなり、吹出口２４の近傍に配設され、かつ軸４７を支点として回動し得る。上流側フィン６１は、吹出口２４の第２辺に沿う方向（紙面に直交する方向）に延びる板状体からなり、リテーナ２０内の下流側フィン４６よりも上流側に配設され、かつ軸６２を支点として回動し得る。下流側フィン４６を乗員によって操作される操作部とし、これをリテーナ２０に対し第１辺に沿う方向への移動可能に取付ける。さらに、両フィン４６，６１間には、第１辺に沿う方向への下流側フィン４６の直線運動を上流側フィン６１の軸６２を支点とする回動運動に変換する運動方向変換機構８０を設ける。【選択図】図１１
2009132262.tif 000002
【特許請求の範囲】
【請求項１】
通風路を有し、同通風路の下流端を矩形の吹出口とし、かつ同吹出口の所定の辺を第１辺とし、同第１辺に直交する辺を第２辺とする筒状のリテーナと、
前記吹出口の前記第１辺に沿う方向に延びる板状体からなり、前記吹出口の近傍に配設され、かつ同板状体の両端の軸を支点として回動し得る下流側フィンと、
前記吹出口の前記第２辺に沿う方向に延びる板状体からなり、前記リテーナ内の前記下流側フィンよりも上流側に配設され、かつ同板状体の両端の軸を支点として回動し得る上流側フィンと
を備える空調用レジスタにおいて、
前記下流側フィンを操作部として前記リテーナに対し前記第１辺に沿う方向への移動可能に取付け、さらに、同操作部と前記上流側フィンとの間には、前記第１辺に沿う方向への前記操作部の直線運動を前記上流側フィンの前記軸を支点とする回動運動に変換する運動方向変換機構を設けることを特徴とする空調用レジスタ。
【請求項２】
通風路を有し、同通風路の下流端を矩形の吹出口とし、かつ同吹出口の所定の辺を第１辺とし、同第１辺に直交する辺を第２辺とする筒状のリテーナと、
前記吹出口の前記第１辺に沿う方向に延びる板状体からなり、前記吹出口の近傍に配設され、かつ同板状体の両端の軸を支点として回動し得る下流側フィンと、
前記吹出口の前記第２辺に沿う方向に延びる板状体からなり、前記リテーナ内の前記下流側フィンよりも上流側に配設され、かつ同板状体の両端の軸を支点として回動し得る上流側フィンと
を備える空調用レジスタにおいて、
前記下流側フィンに対し操作ノブを操作部として前記第１辺に沿う方向への移動可能に設け、前記下流側フィン及び前記上流側フィンをともに中立状態にしたときの前記吹出口での通風方向に直交する面を投影面とした場合に、前記投影面について前記操作ノブの投影される箇所が、同投影面について前記下流側フィンの投影される箇所に含まれるように前記操作ノブを配置し、さらに、前記操作部と前記上流側フィンとの間には、前記第１辺に沿う方向への前記操作部の直線運動を前記上流側フィンの前記軸を支点とする回動運動に変換する運動方向変換機構を設けることを特徴とする空調用レジスタ。
【請求項３】
前記運動方向変換機構は、
前記操作部に連結され、かつ同操作部の前記第１辺に沿う方向の移動に連動して同方向へスライドするとともに、前記通風路に沿う方向に延びるスリット又は溝を有するスライダと、
前記上流側フィンの前記軸から偏心した箇所から突出して前記スリット又は溝に係入されたピンとを備える請求項１に記載の空調用レジスタ。
【請求項４】
前記運動方向変換機構は、
前記上流側フィンの前記軸から偏心した箇所に設けられたピンと、
前記上流側フィンの前記軸の側方に回動可能に設けられ、かつ自身の回動中心から偏心した箇所にピンを有する回動部材と、
前記上流側フィンの前記ピン及び前記回動部材の前記ピンを連結する連結部材と、
前記操作部に連動して前記第１辺に沿う方向へ移動するラックギヤと、
前記回動部材に一体回動可能に設けられ、前記ラックギヤに噛み合わされたピニオンギヤとを備える請求項２に記載の空調用レジスタ。
【請求項５】
前記リテーナ内の前記下流側フィンの上流側には、自身の内部空間を前記通風路の一部とし、かつ同内部空間を取り囲む４つの壁部のうち前記吹出口の前記第１辺に対応する２つを第１壁部とし、同吹出口の前記第２辺に対応する２つを第２壁部とした筒状体からなり、前記各第２壁部の軸を支点として回動し得るバレルが配設され、
前記上流側フィンは、前記バレル内に配設され、かつ前記軸により前記第１壁部に回動可能に支持されており、
さらに、前記下流側フィンと前記バレルとの間には、前記下流側フィンの前記回動運動を前記バレルに伝達して、前記軸を支点として同バレルを回動させる回動伝達機構が設けられている請求項１〜４のいずれか１つに記載の空調用レジスタ。
【請求項６】
前記回動伝達機構は、
前記下流側フィンの前記軸上に一体回動可能に設けられた下流側ギヤと、
前記バレルの前記軸上に一体回動可能に設けられた上流側ギヤと、
前記下流側ギヤ及び前記上流側ギヤに噛み合った状態で同下流側ギヤ及び同上流側ギヤ間に配設された中間ギヤと
を備える請求項５に記載の空調用レジスタ。
【請求項７】
前記吹出口は、前記第１辺を長辺とし、前記第２辺を短辺とする長方形状をなしている請求項１〜６のいずれか１つに記載の空調用レジスタ。
【請求項８】
前記吹出口は、前記第１辺を長辺とし、前記第２辺を短辺とする長方形状をなしており、
前記下流側フィンは前記第２辺に沿う方向の中央部にのみ配置されており、
前記両第１壁部の一方は、前記下流側フィンの前記軸を支点とした回動に伴い、前記バレルが前記軸を支点として回動されて所定の傾きとなったときに、前記下流側フィンと略同一の平面上に位置するように形成されている請求項５又は６に記載の空調用レジスタ。
【発明の詳細な説明】
【技術分野】
【０００１】
本発明は、空調装置等の空気の吹出口として用いられ、室内に吹き出す空気の向きを調節等する空調用レジスタに関するものである。
【背景技術】
【０００２】
車室内において、運転席及び助手席の前方にはインストルメントパネルが配設されている。インストルメントパネルの車幅方向についての両端部、中央部等には、空気の吹出口が開口されている。これらの吹出口には、空調装置等からの空気の吹き出しを遮断したり、吹き出し方向を変更したりするための空調用レジスタが組み込まれている。
【０００３】
空調用レジスタの多くは、例えば特許文献１，２に記載されているように、リテーナ、下流側フィン、上流側フィン及び操作ノブを基本的な構成要素として備えている。リテーナは、筒状をなし、その内部を空調装置等からの空気の通路（通風路）として有するとともに、その通風路の下流端を矩形の吹出口としている。下流側フィンは、吹出口の第１辺に沿う方向（例えば水平方向）に延びる板状体からなり、リテーナ内の吹出口の近傍に回動可能に配設されている。一方、上流側フィンは、吹出口の上記第１辺に直交する第２辺に沿う方向（例えば鉛直方向）に延びる板状体からなり、リテーナ内の下流側フィンよりも上流側に回動可能に配設されている。
【０００４】
操作ノブは、下流側フィンに対し上記第１辺に沿う方向（下流側フィンの長さ方向）にスライド可能に外嵌されている。さらに、特許文献１に記載された空調用レジスタでは、操作ノブに一対の挟持片が上流側へ向けて突出されており、上流側フィンが第１辺に沿う方向の両側から両挟持片によって挟み込まれている。
【０００５】
上記空調用レジスタでは、操作ノブが第２辺に沿う方向へ操作されると、下流側フィンが回動される。また、操作ノブが第１辺に沿う方向へ操作されると、その操作ノブの動きが挟持片を通じて上流側フィンに伝達される。この伝達により、操作ノブに連動して上流側フィンが回動される。これらの回動により上流側フィン及び下流側フィンの各傾きが変更される。空調用レジスタでは、吹出口からは上流側フィン及び下流側フィンの各傾きに応じた方向へ空気が吹き出される。表現を変えると、上流側フィン及び下流側フィンの各傾きが調整されることで、吹出口からの空気の吹出し方向が変更される。
【０００６】
また、特許文献２に記載された空調用レジスタでは、操作ノブの上流側に上記挟持片に代えてラックギヤが形成されるとともに、上流側フィンに扇形ギヤが形成され、この扇形ギヤに上記ラックギヤが噛み合わされている。そのため、この空調用レジスタは、基本的には、上記特許文献１に記載された空調用レジスタと同様に作動する。ただし、操作ノブが第１辺に沿う方向へ操作されると、その操作ノブの動きがラックギヤ、扇形ギヤを通じて上流側フィンに伝達される。この伝達により、操作ノブに連動して上流側フィンが回動される。
【特許文献１】特開２００３−３４１３６号公報
【特許文献２】特開２００６−３０６３６５号公報
【発明の開示】
【発明が解決しようとする課題】
【０００７】
ところが、上記特許文献１，２に記載された空調用レジスタでは、いずれも操作ノブが下流側フィンに外嵌される関係上、操作ノブの厚みが下流側フィンの厚みよりも大きくならざるを得ない。そのため、この操作ノブが空調用レジスタの外観を低下させる一因となっている。これに加え、上記のように厚みの大きな操作ノブが通風抵抗となり、圧力損失の増大を招く。
【０００８】
本発明は、このような実情に鑑みてなされたものであって、その目的は、操作ノブに起因する圧力損失及び外観の低下をともに抑制することのできる空調用レジスタを提供することにある。
【課題を解決するための手段】
【０００９】
上記の目的を達成するために、請求項１に記載の発明は、通風路を有し、同通風路の下流端を矩形の吹出口とし、かつ同吹出口の所定の辺を第１辺とし、同第１辺に直交する辺を第２辺とする筒状のリテーナと、前記吹出口の前記第１辺に沿う方向に延びる板状体からなり、前記吹出口の近傍に配設され、かつ同板状体の両端の軸を支点として回動し得る下流側フィンと、前記吹出口の前記第２辺に沿う方向に延びる板状体からなり、前記リテーナ内の前記下流側フィンよりも上流側に配設され、かつ同板状体の両端の軸を支点として回動し得る上流側フィンとを備える空調用レジスタにおいて、前記下流側フィンを操作部として前記リテーナに対し前記第１辺に沿う方向への移動可能に取付け、さらに、同操作部と前記上流側フィンとの間には、前記第１辺に沿う方向への前記操作部の直線運動を前記上流側フィンの前記軸を支点とする回動運動に変換する運動方向変換機構を設けることを要旨とする。
【００１０】
上記の構成によれば、下流側フィンが操作部として操作されて、軸を支点として回動させられると、リテーナにおける下流側フィンの傾きが変化する。また、下流側フィンが操作されて、リテーナに対し第１辺に沿う方向へ移動させられると、その際の下流側フィンの直線運動が、運動方向変換機構により回動運動に変換される。この変換により、上流側フィンが軸を支点として回動し、同上流側フィンの傾きが変化する。
【００１１】
このように、下流側フィンに対し、これを回動させたり、第１辺に沿う方向へ移動させたりする操作を行うことで、上流側及び下流側のいずれのフィンについても回動させることができる。そのため、操作ノブが不要となり、これに伴い操作ノブが空調用レジスタの意匠面に現出せず、空調用レジスタがすっきりした外観を呈するようになる。
【００１２】
上記のように上流側フィン及び下流側フィンが回動させられると、空調装置等からの空気は、リテーナ内を通過する際に、上流側フィン及び下流側フィンによって流れ方向を変えられ、吹出口から吹き出される。この際、操作ノブがないことから、この操作ノブに起因する通風抵抗の増大、ひいては圧力損失の増大が生じない。
【００１３】
請求項２に記載の発明は、通風路を有し、同通風路の下流端を矩形の吹出口とし、かつ同吹出口の所定の辺を第１辺とし、同第１辺に直交する辺を第２辺とする筒状のリテーナと、前記吹出口の前記第１辺に沿う方向に延びる板状体からなり、前記吹出口の近傍に配設され、かつ同板状体の両端の軸を支点として回動し得る下流側フィンと、前記吹出口の前記第２辺に沿う方向に延びる板状体からなり、前記リテーナ内の前記下流側フィンよりも上流側に配設され、かつ同板状体の両端の軸を支点として回動し得る上流側フィンとを備える空調用レジスタにおいて、前記下流側フィンに対し操作ノブを操作部として前記第１辺に沿う方向への移動可能に設け、前記下流側フィン及び前記上流側フィンをともに中立状態にしたときの前記吹出口での通風方向に直交する面を投影面とした場合に、前記投影面について前記操作ノブの投影される箇所が、同投影面について前記下流側フィンの投影される箇所に含まれるように前記操作ノブを配置し、さらに、前記操作部と前記上流側フィンとの間には、前記第１辺に沿う方向への前記操作部の直線運動を前記上流側フィンの前記軸を支点とする回動運動に変換する運動方向変換機構を設けることを要旨とする。ここで、下流側フィン及び上流側フィンの中立状態とは、吹出口から空気が真っ直ぐに下流側へ吹き出されるときの下流側フィン及び上流側フィンの状態をいう。
【００１４】
上記の構成によれば、操作ノブが操作部として操作されて、下流側フィンが軸を支点として回動させられると、リテーナにおける同下流側フィンの傾きが変化する。また、操作ノブが操作されて、第１辺に沿う方向へ移動させられると、その際の操作ノブの直線運動が、運動方向変換機構により回動運動に変換される。この変換により、上流側フィンが軸を支点として回動し、同上流側フィンの傾きが変化する。
【００１５】
このように、操作ノブに対し、下流側フィンを回動させたり、同操作ノブを第１辺に沿う方向へ移動させたりする操作を行うことで、上流側及び下流側のいずれのフィンについても回動させることができる。
【００１６】
ところで、下流側フィン及び上流側フィンをともに中立状態にしたときの吹出口での通風方向に直交する面を投影面とした場合に、その投影面について操作ノブの投影される箇所は、同投影面について下流側フィンの投影される箇所に含まれる。空調用レジスタを下流側から上流側に向かって見た場合、操作ノブは下流側フィンの厚み内に収まっているように見え、同操作ノブが下流側フィンに対し厚み方向に膨出しているようには見えない。そのため、操作ノブは空調用レジスタの外観を低下させる要因とはなりにくい。
【００１７】
また、上記のように上流側フィン及び下流側フィンが回動させられると、空調装置等からの空気は、リテーナ内を通過する際に、上流側フィン及び下流側フィンによって流れ方向を変えられ、吹出口から吹き出される。
【００１８】
この際、通風路に配置された部品である下流側フィン及び操作ノブは通風抵抗となり、圧力損失の増大を招く。ここで、実開口面積（投影面において上流側フィン、下流側フィン及び操作ノブが投影されていない箇所の面積）を通風抵抗の指標として用いた場合、通風路における上記フィン、操作ノブ等の部品の存在により、実開口面積が小さくなるに従い通風抵抗が増し、圧力損失が増大する。従って、圧力損失の増大を抑えるうえでは、投影面において、上記フィン及び操作ノブが投影される箇所の面積を小さくすることが重要である。
【００１９】
この点、請求項２に記載の発明では、上記投影面について操作ノブの投影される箇所が、同投影面について下流側フィンの投影される箇所に含まれるように操作ノブが配置されている。両箇所は重複している。そのため、投影面において下流側フィン及び操作ノブの投影される箇所の面積は、同投影面において下流側フィンのみの投影される箇所の面積と同じとなる。操作ノブが下流側フィンに外嵌されて操作ノブの厚みが下流側フィンの厚みよりも大きい場合に比べ、この操作ノブに起因する実開口面積の減少が少なくなり、通風抵抗が小さくなって圧力損失が抑制される。
【００２０】
請求項３に記載の発明は、請求項１に記載の発明において、前記運動方向変換機構は、前記操作部に連結され、かつ同操作部の前記第１辺に沿う方向の移動に連動して同方向へスライドするとともに、前記通風路に沿う方向に延びるスリット又は溝を有するスライダと、前記上流側フィンの前記軸から偏心した箇所から突出して前記スリット又は溝に係入されたピンとを備えることを要旨とする。
【００２１】
上記の構成によれば、乗員の操作により、下流側フィンが操作部としてリテーナに対し第１辺に沿う方向へ移動させられると、その操作部に連結されたスライダも同方向へ移動する。スライダに設けられて通風路に沿う方向に延びるスリット又は溝もまた同方向へ移動する。この移動に伴い、ピンがスリット又は溝における位置を変えながら、上流側フィンの軸の周りを変位する。このピンの変位により上流側フィンが軸を支点として回動する。このようにして、操作部の直線運動が、上流側フィンの軸を支点とした回動運動に変換される。
【００２２】
請求項４に記載の発明は、請求項２に記載の発明において、前記運動方向変換機構は、前記上流側フィンの前記軸から偏心した箇所に設けられたピンと、前記上流側フィンの前記軸の側方に回動可能に設けられ、かつ自身の回動中心から偏心した箇所にピンを有する回動部材と、前記上流側フィンの前記ピン及び前記回動部材の前記ピンを連結する連結部材と、前記操作部に連動して前記第１辺に沿う方向へ移動するラックギヤと、前記回動部材に一体回動可能に設けられ、前記ラックギヤに噛み合わされたピニオンギヤとを備えることを要旨とする。
【００２３】
上記の構成によれば、乗員の操作により、操作ノブが操作部としてリテーナに対し第１辺に沿う方向へ移動させられると、その操作部に連動してラックギヤが同方向へ移動させられる。この移動に伴い、ラックギヤのピニオンギヤとの噛み合い位置が変化して同ピニオンギヤが回動部材と一体となって回動させられる。この回動に伴い回動部材のピンが、同回動部材の回動中心の周りを変位する。この変位が連結部材を介して上流側フィンのピンに伝達され、同上流側フィンが軸を支点として回動する。このようにして、操作部（操作ノブ）の直線運動が、上流側フィンの軸を支点とした回動運動に変換される。
【００２４】
請求項５に記載の発明は、請求項１〜４のいずれか１つに記載の発明において、前記リテーナ内の前記下流側フィンの上流側には、自身の内部空間を前記通風路の一部とし、かつ同内部空間を取り囲む４つの壁部のうち前記吹出口の前記第１辺に対応する２つを第１壁部とし、同吹出口の前記第２辺に対応する２つを第２壁部とした筒状体からなり、前記各第２壁部の軸を支点として回動し得るバレルが配設され、前記上流側フィンは、前記バレル内に配設され、かつ前記軸により前記第１壁部に回動可能に支持されており、さらに、前記下流側フィンと前記バレルとの間には、前記下流側フィンの前記回動運動を前記バレルに伝達して、前記軸を支点として同バレルを回動させる回動伝達機構が設けられていることを要旨とする。
【００２５】
上記の構成によれば、下流側フィンが操作されて、軸を支点として下流側フィンが回動させられると、同下流側フィンの傾きが変化する。この際の下流側フィンの回動運動が回動伝達機構によりバレルに伝達され、同バレルが各第２壁部の軸を支点として回動する。この回動に伴い、バレルの第１壁部の傾きが変化する。この第１壁部も空気の向きを変える機能を発揮する。従って、空気の流れる方向を、下流側フィンのみによる場合よりも確実に変えることが可能となる。
【００２６】
請求項６に記載の発明は、請求項５に記載の発明において、前記回動伝達機構は、前記下流側フィンの前記軸上に一体回動可能に設けられた下流側ギヤと、前記バレルの前記軸上に一体回動可能に設けられた上流側ギヤと、前記下流側ギヤ及び前記上流側ギヤに噛み合った状態で同下流側ギヤ及び同上流側ギヤ間に配設された中間ギヤとを備えることを要旨とする。
【００２７】
上記の構成によれば、下流側フィンが操作されて、軸を支点として回動させられると、同下流側フィンの傾きが変化する。下流側フィンの回動は、下流側ギヤ、中間ギヤを介して上流側ギヤに伝達される。中間ギヤが介されることにより、バレルの軸が下流側フィンの軸と同一方向へ回動される。その結果、バレルの第１壁部が下流側フィンと同じ方向へ傾く。従って、空気はバレルの第１壁部及び下流側フィンに沿って流れた後、吹出口から吹き出される。
【００２８】
請求項７に記載の発明は、請求項１〜６のいずれか１つに記載の発明において、前記吹出口は、前記第１辺を長辺とし、前記第２辺を短辺とする長方形状をなしていることを要旨とする。
【００２９】
下流側フィン及び上流側フィンをともに中立状態にしたときの吹出口での通風方向に直交する面を投影面とした場合、投影面において操作ノブの投影される箇所の占める割合が大きくなるに従い、操作ノブが空調用レジスタの外観や通風抵抗に及ぼす影響が大きくなる。
【００３０】
特に、上記のように長方形状の吹出口を有する薄型の空調用レジスタでは、通常の空調用レジスタよりも投影面が幅狭となり、しかも面積が小さくなる傾向にある。この場合には、投影面において操作ノブの投影される箇所の占める割合が大きくなる。
【００３１】
従って、上述した請求項１〜６のいずれか１つに記載の発明によるように、操作ノブを不要にしたり、厚みの小さなものにしたりすることで、操作ノブの投影される箇所の占める割合を小さくできる。その結果、圧力損失を低下させたり、外観を向上させたりする大きな効果が得られる。
【００３２】
請求項８に記載の発明は、請求項５又は６に記載の発明において、前記吹出口は、前記第１辺を長辺とし、前記第２辺を短辺とする長方形状をなしており、前記下流側フィンは前記第２辺に沿う方向の中央部に配置されており、前記両第１壁部の一方は、前記下流側フィンの前記軸を支点とした回動に伴い、前記バレルが前記軸を支点として回動されて所定の傾きとなったときに、前記下流側フィンと略同一の平面上に位置するように形成されていることを要旨とする。
【００３３】
上記の構成によれば、下流側フィンが軸を支点として回動させられると、その回動が回動伝達機構を介してバレルに伝達される。この伝達により、バレルがその軸を支点として回動する。そして、上記の回動によりバレルが所定の傾きになると、同バレルの一方の第１壁部が下流側フィンと同一平面上に位置する。従って、バレルの第１壁部に沿って流れる空気がバレルを通過した後、その空気を引き続き下流側フィンに沿ってスムーズに流れさせることができる。
【発明の効果】
【００３４】
本発明の空調用レジスタによれば、下流側フィン又は操作ノブを操作部とし、この操作部を第１辺に沿う方向への移動可能に取付け、さらに操作部と上流側フィンとの間に運動方向変換機構を設けたため、操作ノブに起因する圧力損失及び外観の低下をともに抑制することができる。
【発明を実施するための最良の形態】
【００３５】
（第１実施形態）
以下、本発明を車両用の空調用レジスタに具体化した第１実施形態について、図１〜図１２を参照して説明する。なお、以下の説明では、車両の前進方向を前方と記載し、それを基準に前、後、上、下、左、右を規定している。また、各図において、「前」は車両前側を、「後」は車両後側をそれぞれ示している。
【００３６】
車室内において、運転席及び助手席の車両前方にはインストルメントパネルが配設されている。インストルメントパネルの車幅方向についての両端部、中央部等には、空調装置（図示略）等からの空気の吹き出しを遮断したり、吹き出し方向を変更したりするための空調用レジスタが組み込まれている。
【００３７】
図１、図３〜図５の少なくとも１つに示すように、空調用レジスタ１２は、リテーナ２０、ベゼル４０、下流側フィン４６、バレル５０、上流側フィン６１、回動伝達機構７０、運動方向変換機構８０等を備えて構成されている。なお、図５では、ベゼル４０の図示が省略されている（図１１及び図１２についても同様）。次に、各部の構成について説明する。
【００３８】
＜リテーナ２０＞
リテーナ２０は、空調装置の通風ダクトと、インストルメントパネルに設けられた開口とを繋ぐためのものである。リテーナ２０は両端が開口された筒状体からなり、その内部空間を空気の流路（以下「通風路２２」という）としている。リテーナ２０における上流側の開口は、通風ダクトからの空気の導入口２３を構成しており、下流側の開口は空気の吹出口２４を構成している。導入口２３及び吹出口２４はいずれも矩形状をなしている。第１実施形態では、導入口２３及び吹出口２４が横長の長方形状をなしている。ここで、吹出口２４の各辺を区別するために、同吹出口２４における上下の長辺を第１辺２５とし、各第１辺２５に直交する左右の短辺を第２辺２６とする（図１参照）。
【００３９】
図３〜図５の少なくとも１つに示すように、リテーナ２０は上記通風路２２を取り囲む４つの壁部（水平方向に延びる上下の壁部２７、及び鉛直方向に延びる左右の壁部２８）を備えている。このリテーナ２０では、後述する上流側フィン６１及び下流側フィン４６がともに中立状態となったとき、空気が上流側フィン６１及び下流側フィン４６に沿って流れ、吹出口２４から下流側へ真っ直ぐに吹き出す。この中立状態では、下流側フィン４６が上下の両壁部２７に対し平行となり、各上流側フィン６１が左右の両壁部２８に対し平行となる。
【００４０】
左右の両壁部２８の下流端２８Ａは、上側ほど運転席及び助手席から車両前方へ遠ざかるように傾斜している。左右の各下流端２８Ａにおいて、吹出口２４の第２辺２６に沿う方向の中央部には軸受凹部２９が設けられている。
【００４１】
リテーナ２０の上側の壁部２７において、上記吹出口２４の上流近傍となる箇所には、上方へ緩やかに膨らむ断面円弧状の膨出部３１が形成されている。これに対応して、下側の壁部２７において、上記吹出口２４の上流近傍となる箇所には、下方へ緩やかに膨らむ断面円弧状の膨出部３２が形成されている。上下の両膨出部３１，３２によって挟まれた空間は、バレル５０を収容し、かつそのバレル５０の回動を許容するための収容空間３７となる。下側の膨出部３２の上流端及び下流端には、吹出口２４の第１辺２５に沿う方向へ延びるガイド溝３３，３４がそれぞれ形成されている。上流側のガイド溝３３は、その下流側の面において開口されている。下流側のガイド溝３４は、その上流側の面において開口されている。
【００４２】
上側の壁部２７において、吹出口２４から上流側へ離間した箇所には、上方へ向けて突出するブラケット３５が設けられている。また、下側の壁部２７において、吹出口２４の上流側近傍には、下方へ向けて突出するブラケット３６が設けられている。
【００４３】
＜ベゼル４０＞
図１、図３及び図４の少なくとも１つに示すように、ベゼル４０はリテーナ２０の下流側に配置されている。ベゼル４０は、板状をなし、上記リテーナ２０の吹出口２４に対応する箇所に開口４１を有している。ベゼル４０の下流側の面は、空調用レジスタ１２の意匠面４２を構成している。ベゼル４０は、上側ほど運転席及び助手席から車両前方へ遠ざかるように傾斜している。ベゼル４０の上流側の面において開口４１よりも上側の箇所、及び下側の箇所には、上流側へ向けて突出するボス４３が形成されている。そして、上記リテーナ２０の各ブラケット３５，３６に挿通されたねじ４４が、対応するボス４３に螺入されることで、ベゼル４０がリテーナ２０に締結されている。
【００４４】
＜下流側フィン４６＞
図１、図３及び図５の少なくとも１つに示すように、下流側フィン４６は吹出口２４の第１辺２５に沿う方向に延びる板状体からなる。下流側フィン４６は、空気の流通方向については、リテーナ２０内の吹出口２４の近傍に配置されている。下流側フィン４６は、吹出口２４の第２辺２６に沿う方向については、その中央部にのみ配置されている。下流側フィン４６の第１辺２５に沿う方向についての両端面からは、軸４７がそれぞれ延出している。これらの軸４７は、上述したリテーナ２０の軸受凹部２９において回動可能、かつ第１辺２５に沿う方向（左右方向）への移動可能に係合されている。上記下流側フィン４６の全体は、乗員によって把持されて操作される操作部として機能する。下流側フィン４６には、特許文献１，２とは異なり、操作ノブは特段設けられていない。
【００４５】
＜バレル５０＞
バレル５０は、上述したリテーナ２０内の下流側フィン４６よりも上流側の収容空間３７に配置されている（図３参照）。バレル５０は両端が開口された筒状体からなり、その内部空間を上記通風路２２の一部としている。ここで、バレル５０の内部空間を取り囲む４つの壁部を区別するために、上記吹出口２４の第１辺２５に対応する２つを第１壁部５１とし、同吹出口２４の第２辺２６に対応する２つを第２壁部５２とする。両第２壁部５２には第１辺２５に沿う方向へ軸５３が突設されている。そして、バレル５０は、これらの軸５３において、リテーナ２０の対応する壁部２８に対し回動可能に支持されている。
【００４６】
上記バレル５０における上下の両第１壁部５１は、上記下流側フィン４６の軸４７を支点とした回動に伴い、同バレル５０が軸５３を支点として回動されて所定の傾き（ここでは採り得る最大の傾き）となったときに、下流側フィン４６と略同一の平面上に位置するように形成されている（図７及び図９参照）。
【００４７】
バレル５０には、吹出口２４の第１辺２５に沿う方向に延びて、上下の両第１壁部５１に平行な状態の補助フィン５４が設けられている。補助フィン５４は、空気の流通方向についてはバレル５０の下流端に位置し、下流側へ突出している。補助フィン５４は、上下の両第１壁部５１間についてはその中央部に位置している。第１実施形態では、下流側フィン４６がリテーナ２０の壁部２７に平行となる中立状態にされたときに、補助フィン５４が同壁部２７に対し平行となり、かつ上記下流側フィン４６と略同一面上に位置するように設定されている（図３参照）。
【００４８】
＜上流側フィン６１＞
バレル５０内には複数の上流側フィン６１が配設されている。各上流側フィン６１は、バレル５０内であって、吹出口２４の第２辺２６に沿う方向に延びる板状体によって構成されている。これらの上流側フィン６１は、上記吹出口２４の第１辺２５に沿う方向に互いに平行に離間した状態で配列されている。
【００４９】
各上流側フィン６１の第２辺２６に沿う方向についての両端面には、軸６２がそれぞれ設けられている。そして、各上流側フィン６１は、上下の両軸６２において、バレル５０の対応する第１壁部５１に対し車幅方向（左右方向）への回動可能に支持されている。
【００５０】
＜回動伝達機構７０＞
図４及び図５の少なくとも一方に示すように、回動伝達機構７０は、軸４７を支点とした操作部（下流側フィン４６）の回動をバレル５０に伝達して、軸５３を支点としてそのバレル５０を回動させるための機構であり、下流側フィン４６とバレル５０との間に設けられている。回動伝達機構７０は、下流側ギヤ７１、上流側ギヤ７２及び中間ギヤ７３といった３つのギヤを備えて構成されている。下流側ギヤ７１は下流側フィン４６の一方の軸４７上に一体回動可能に設けられている。ここでは、側面扇形状をなす板状体が下流側フィン４６の左側の軸４７上に設けられており、その板状体の外周面に歯が形成されることで下流側ギヤ７１とされている。上流側ギヤ７２は、バレル５０の一方（図５の左方）の軸５３上に対し一体回動可能、かつその軸線方向（図５の左右方向）への移動不能に設けられている。中間ギヤ７３は、下流側ギヤ７１及び上流側ギヤ７２に噛み合った状態で、同下流側ギヤ７１及び同上流側ギヤ７２間に軸線方向（図５の左右方向）への移動不能に配設されている。
【００５１】
＜運動方向変換機構８０＞
図３〜図５の少なくとも１つに示すように、運動方向変換機構８０は、第１辺２５に沿う方向への操作部（下流側フィン４６）の直線運動を各上流側フィン６１の軸６２を支点とする回動運動に変換するための機構であり、下流側フィン４６と各上流側フィン６１との間に設けられている。この運動方向変換機構８０は、スライダ８１、上流側フィン６１毎のピン６３、上記下流側ギヤ７１、回動板８４（図５参照）、及び直線運動伝達部材８５を備えるとともに、上記下流側ギヤ７１、中間ギヤ７３及び上流側ギヤ７２がいずれも平歯車からなることによって構成されている。
【００５２】
スライダ８１は、吹出口２４の第２辺２６に沿う方向には薄く、かつ第１辺２５に沿う方向に延びる板状体からなり、リテーナ２０における下側の膨出部３２とバレル５０の下側の第１壁部５１との間に、吹出口２４の第１辺２５に沿う方向への往復動可能に配設されている。スライダ８１の断面形状は膨出部３２に対応して、下方へ緩やかに膨らむ円弧状をなしている。スライダ８１は、その上流端及び下流端においてリテーナ２０の対応するガイド溝３３，３４内にスライド可能に係合されている。
【００５３】
スライダ８１には、その厚み方向に貫通する複数のスリット８３が形成されている（図６参照）。これらのスリット８３は、吹出口２４の第１辺２５に沿う方向に互いに離間した位置に設けられている。各スリット８３は通風路２２に沿う方向に延びている。
【００５４】
各ピン６３は、各上流側フィン６１の軸６２から上流側へ偏心した箇所から下方へ突出している。各ピン６３の先端（下端）は、バレル５０における下側の第１壁部５１よりも下方に位置しており、上記スライダ８１の対応するスリット８３に係入されている。各ピン６３の先端は、バレル５０の回動に伴い、上記スリット８３に係入した状態で、軸５３を中心とする円弧状の経路に沿って移動する。
【００５５】
回動板８４は、下流側フィン４６の右側の軸４７上に一体回動可能に設けられている（図６参照）。ここでは、回動板８４が側面扇形状をなしているが、この側面形状は適宜に変更可能である。
【００５６】
直線運動伝達部材８５の主要部は、リテーナ２０における下側の壁部２７の直下であって、膨出部３２の下流において、吹出口２４の第１辺２５に沿う方向に延びている。直線運動伝達部材８５は、上記方向についての両端部において、ボルト９１及びナット９２によって上記スライダ８１に締結されている。直線運動伝達部材８５の上記第１辺２５に沿う方向についての一方（左方）の端部からは、一対の挟持片８７が同方向に互いに離間した状態で上方へ突出しており、これらの挟持片８７が上記下流側ギヤ７１を、その軸線方向（第１辺２５に沿う方向）についての両側から挟み込んでいる（図２参照）。また、直線運動伝達部材８５の他方（右方）の端部からは、一対の挟持片８８が同方向に互いに離間した状態で上方へ突出しており（図６参照）、これらの挟持片８８が上記回動板８４を、その軸線方向（第１辺２５に沿う方向）についての両側から挟み込んでいる。
【００５７】
また、ともに平歯車からなる下流側ギヤ７１及び中間ギヤ７３は、歯すじに沿う方向、すなわち軸線方向へ相対移動することが可能である。また、中間ギヤ７３はその軸線方向へ移動不能であるが、軸４７に対し軸線方向への移動不能に設けられた下流側ギヤ７１は、下流側フィン４６と一体となって軸線方向へ移動可能である。そのため、乗員が下流側フィン４６を吹出口２４の第１辺２５に沿う方向へ移動させると、その軸４７上の下流側ギヤ７１は、中間ギヤ７３に噛み合った状態で同方向へ相対移動可能である。中間ギヤ７３の軸線方向の長さは、上記移動により下流側ギヤ７１が脱落しない長さ、すなわち下流側ギヤ７１が軸線方向へ移動しても噛み合った状態を維持し得る適切な長さに設定されている。
【００５８】
上記のようにして第１実施形態の空調用レジスタ１２が構成されている。この空調用レジスタ１２では、上述したように、下流側フィン４６上に操作ノブが設けられておらず、これに伴い操作ノブが空調用レジスタ１２の意匠面に現出していない。
【００５９】
次に、この空調用レジスタ１２の作用について説明する。
図３〜図５は、下流側フィン４６及び上流側フィン６１がともに中立状態にされた空調用レジスタ１２を示している。
【００６０】
この中立状態では、バレル５０の上下の両第１壁部５１及び補助フィン５４が、リテーナ２０の壁部２７（但し、膨出部３１，３２を除く）に平行となる。また、補助フィン５４は下流側フィン４６と略同一面上に位置する。空調装置から送られてきた空気は、空調用レジスタ１２を通過する過程で、上下の両第１壁部５１、補助フィン５４及び下流側フィン４６に沿って流れた後、吹出口２４から真っ直ぐ下流側へ吹き出される。
【００６１】
上記中立状態から、車両の乗員により下流側フィン４６が操作されて、軸４７を支点として下流側フィン４６が、図７及び図８に示すように上方へ回動されると、下流側フィン４６が下流側ほど高くなるように傾斜する。これとは逆に、下流側フィン４６が、図９に示すように下方へ回動されると、下流側フィン４６が下流側ほど低くなるように傾斜する。図１０についても同様である。
【００６２】
下流側フィン４６の回動は、下流側ギヤ７１及び中間ギヤ７３を介して上流側ギヤ７２に伝達される。この回動伝達により、バレル５０が左右の各第２壁部５２の軸５３を支点として回動する。この際、中間ギヤ７３が介されることにより、バレル５０の軸５３が下流側フィン４６の軸４７と同一方向へ回動される。この回動に伴い、バレル５０の上下の両第１壁部５１及び補助フィン５４が下流側フィン４６と同じ方向に傾く。
【００６３】
バレル５０が軸５３を支点として回動させられると、そのバレル５０から突出したピン６３の先端部もまた、軸５３の周りを円弧状の経路に沿って変位する。この際、スライダ８１がバレル５０における下側の第１壁部５１の外側（下側）近傍に配置されており、スライダ８１及び各スリット８３が、ピン６３の経路に対応して通風路２２の外側へ膨らむ断面円弧状をなしている。そのため、各ピン６３の先端部は、バレル５０の軸５３を支点とした回動に拘わらず、常にスリット８３に係入した状態を維持する。各ピン６３の先端部がスリット８３から抜け出ることがない。
【００６４】
なお、中間ギヤ７３の軸線方向の長さが適切に設定されていて、下流側ギヤ７１が下流側フィン４６の移動に拘わらず常に中間ギヤ７３に噛み合った状態を維持している。そのため、下流側フィン４６が第１辺２５に沿う方向のどの位置で乗員によって回動操作されても、その回動は、下流側ギヤ７１及び中間ギヤ７３を介して上流側ギヤ７２に確実に伝達される。
【００６５】
この際、直線運動伝達部材８５の左端部における両挟持片８７は、下流側ギヤ７１の軸線方向についての両側に位置しているにすぎないため、下流側フィン４６の回動に伴う下流側ギヤ７１の回動を妨げることはない。同様に、直線運動伝達部材８５の右端部における両挟持片８８は、回動板８４の軸線方向についての両側に位置しているにすぎないため、下流側フィン４６の回動に伴う回動板８４の回動を妨げることはない。そのため、乗員により下流側フィン４６が回動させられると、下流側ギヤ７１の回動が確実に中間ギヤ７３に伝達される。
【００６６】
そして、上記回動により下流側フィン４６が採り得る最大の傾きになると、バレル５０の一方の第１壁部５１が下流側フィン４６と略同一平面上に位置する。下流側フィン４６が、下流側ほど高くなる方向へ最も大きく傾斜する（図７参照）と、下側の第１壁部５１が下流側フィン４６と略同一平面上に位置する。これとは逆に、下流側フィン４６が、下流側ほど低くなる方向へ最も大きく傾斜する（図９参照）と、上側の第１壁部５１が下流側フィン４６と略同一平面上に位置する。
【００６７】
また、乗員により下流側フィン４６が直接操作されて、同下流側フィン４６がリテーナ２０に対し第１辺２５に沿う方向、例えば図１１に示すように左方へ移動させられると、その下流側フィン４６に連結されたスライダ８１も同方向へ移動する。これとは逆に、下流側フィン４６が図１２に示すように右方へ移動させられると、その下流側フィン４６に連結されたスライダ８１も同方向へ移動する。より詳しくは、下流側フィン４６の上記移動に伴い下流側ギヤ７１及び回動板８４が同方向へ移動する。これらの動きは、挟持片８７，８８を通じて直線運動伝達部材８５に伝達され、同直線運動伝達部材８５が下流側フィン４６と同一方向へ移動する。ボルト９１及びナット９２により直線運動伝達部材８５に連結されたスライダ８１も下流側フィン４６と同一方向へ移動する。この際、（ｉ）下流側ギヤ７１及び中間ギヤ７３がともに平歯車からなること、（ii）中間ギヤ７３がその軸線方向には移動不能であることから、下流側ギヤ７１は中間ギヤ７３に噛み合った状態で軸線方向へ移動する。中間ギヤ７３が軸線方向に適切な長さに設定されているため、上記のように下流側ギヤ７１が軸線方向へ移動しても同下流側ギヤ７１が中間ギヤ７３から脱落することはなく、下流側ギヤ７１が中間ギヤ７３に噛み合った状態が維持される。
【００６８】
スライダ８１に設けられて通風路２２に沿う方向に延びるスリット８３もまた同方向へ移動する。この移動に伴い、ピン６３がスリット８３における位置を変えながら、上流側フィン６１の軸６２の周りを変位する。このピン６３の変位により上流側フィン６１が軸６２を支点として回動する。このようにして、下流側フィン４６の直線運動が、運動方向変換機構８０により、上流側フィン６１の軸６２を支点とした回動運動に変換される。この変換により、上流側フィン６１が軸６２を支点として回動し、その傾きが変化する。
【００６９】
このように、乗員が、下流側フィン４６を操作部として上下に回動させたり、第１辺２５に沿う方向へ移動させたりする操作を行うと、バレル５０又は上流側フィン６１が回動させられる。これに加え、バレル５０の上下の両第１壁部５１及び補助フィン５４も回動させられる。これらの上下の両第１壁部５１及び補助フィン５４は、上流側フィン６１及び下流側フィン４６と同様、空気の流れ方向を変える機能を発揮する。そのため、空調装置等からの空気は、リテーナ２０内を通過する際に、上流側フィン６１、バレル５０（上下の両第１壁部５１、補助フィン５４）及び下流側フィン４６によって流れ方向を変えられ、吹出口２４から吹き出される。
【００７０】
特に、第１実施形態では、上述したように下流側フィン４６だけでなく、バレル５０の上下の両第１壁部５１及び補助フィン５４も空気の流れ方向を変える機能を発揮する。そのため、空気の流れ方向の上下方向への変更に関与する部分が、下流側フィン４６のみによる場合よりも送風方向に長くなる。
【００７１】
また、上記の回動により下流側フィン４６が採り得る最大の傾きになると、バレル５０の一方の第１壁部５１が下流側フィン４６と略同一平面上に位置する。そのため、第１壁部５１に沿って流れる空気は、バレル５０を通過した後、流れを乱されることなく、引き続き下流側フィン４６に沿ってスムーズに流れる。
【００７２】
ところで、空調装置から送られてきた空気が、空調用レジスタ１２を通過して吹出口２４から吹き出される際には、通風路２２に配置された部品（下流側フィン４６を含む）は通風抵抗となり、圧力損失の増大を招く。ここで、下流側フィン４６及び上流側フィン６１をともに中立状態にしたときの吹出口２４での通風方向に直交する面を投影面とする。実開口面積（投影面において下流側フィン等の部品が投影されていない箇所の面積）を通風抵抗の指標として用いた場合、通風路における上記フィン等の部品の存在により、実開口面積が小さくなるに従い通風抵抗が増し、圧力損失が増大する。従って、圧力損失の増大を抑えるうえでは、投影面において、上記各部品が投影される箇所の面積を小さくすることが重要である。
【００７３】
この点、第１実施形態では、上記部品として操作ノブが用いられていない。これに伴い、上記投影面において操作ノブの投影される箇所がなく、同操作ノブに起因する実開口面積の減少がなく、操作ノブによる通風抵抗の増大、ひいては圧力損失の増大が生じない。
【００７４】
以上詳述した第１実施形態によれば、次の効果が得られる。
（１）下流側フィン４６を操作部としてリテーナ２０に対し第１辺２５に沿う方向への移動可能に取付けている。下流側フィン４６と上流側フィン６１との間に、第１辺２５に沿う方向への下流側フィン４６の直線運動を各上流側フィン６１の軸６２を支点とする回動運動に変換する運動方向変換機構８０を設けている（図４及び図５参照）。そのため、乗員が下流側フィン４６を上下に回動させる操作を直接行うことで、空気の上下方向についての吹出し方向を変えることができる。また、乗員が下流側フィン４６を第１辺２５に沿う方向へ移動させる操作を直接行うことで、上流側フィン６１を回動させて、空気の左右方向についての吹出し方向を変えることができる。
【００７５】
操作ノブを不要とし、空調用レジスタ１２の外観をすっきりしたものにして、操作ノブに起因する外観の低下を抑制することができる。また、操作ノブがないことから、この操作ノブに起因する通風抵抗の増大、ひいては圧力損失の増大を抑制することができる。
【００７６】
特に、第１実施形態のように長方形状の吹出口２４を有する薄型の空調用レジスタ１２では、通常の空調用レジスタよりも上記投影面が幅狭となり、しかも面積が小さくなる傾向にある。投影面は、上述したように、下流側フィン４６及び上流側フィン６１をともに中立状態にしたときの吹出口２４での通風方向に直交する面である。仮に、下流側フィン４６に操作ノブを設けるとすると、投影面において操作ノブの投影される箇所の占める割合が大きくなる。
【００７７】
従って、上記のように操作ノブを不要にすることで、操作ノブの投影される箇所の占める割合を小さくできる。その結果、操作ノブに起因する上記圧力損失及び外観の低下を抑制する効果が特に有効なものとなる。
【００７８】
（２）運動方向変換機構８０として、スリット８３を有するスライダ８１と、上流側フィン６１毎のピン６３とを備えるものを採用している。そのため、下流側フィン４６に対し、スライダ８１を吹出口２４の第１辺２５に沿う方向へ移動させる操作を行うことにより、軸６２の周りでピン６３を変位させ、軸６２を支点として上流側フィン６１を回動させることができる。
【００７９】
（３）リテーナ２０内の下流側フィン４６よりも上流側に、軸５３を支点として回動するバレル５０を配設し、各上流側フィン６１をバレル５０内に配設し、軸６２により第１壁部５１に回動可能に支持している。さらに、下流側フィン４６とバレル５０との間に回動伝達機構７０を設けている。そのため、乗員による下流側フィン４６の回動操作に伴い、軸５３を支点としてバレル５０を回動させ、上下の両第１壁部５１及び補助フィン５４の傾きを変更することができる。空気の流れ方向の変更に拘わる部分を長くでき、空気の吹出し方向を、下流側フィン４６のみによる場合よりも確実に変えることができる。
【００８０】
（４）回動伝達機構７０として、下流側ギヤ７１、中間ギヤ７３及び上流側ギヤ７２を備える構成を採用している。そのため、軸４７を支点とした下流側フィン４６の回動をバレル５０に伝達して、同バレル５０を回動させることができる。また、下流側ギヤ７１と上流側ギヤ７２との間に中間ギヤ７３を介在させることで、バレル５０の軸５３を、下流側フィン４６の軸４７と同一方向へ回動させることができ、上下の両第１壁部５１及び補助フィン５４を、下流側フィン４６と同一方向へ傾かせることができる。そのため、上記（３）の効果を確実なものとすることができる。
【００８１】
（５）平歯車からなる下流側ギヤ７１を下流側フィン４６の軸４７に対し軸線方向への移動不能に設ける一方、平歯車からなる中間ギヤ７３をその軸線方向への移動不能に配設している。そのため、下流側フィン４６の移動に伴い、下流側ギヤ７１を中間ギヤ７３に噛み合わせた状態で吹出口２４の第１辺２５に沿う方向へ移動させることができる。
【００８２】
また、中間ギヤ７３として軸線方向に長いものを用いているため、下流側フィン４６の移動に拘わらず下流側ギヤ７１を常に中間ギヤ７３に噛み合った状態にすることができる。下流側フィン４６が第１辺２５に沿う方向のどの位置で乗員によって回動操作されても、その下流側フィン４６の回動を、下流側ギヤ７１及び中間ギヤ７３を介して上流側ギヤ７２に伝達して、バレル５０を回動させることができる。
【００８３】
（６）スライダ８１に直線運動伝達部材８５を締結している。そして、この直線運動伝達部材８５の一方（図５の左方）の端部には、下流側ギヤ７１を、その軸線方向についての両側から挟み込む一対の挟持片８７を形成している。そのため、乗員の操作による下流側フィン４６の直線運動を下流側ギヤ７１及び両挟持片８７を介してスライダ８１に伝達し、そのスライダ８１を同方向へ移動させることができる。
【００８４】
なお、上記両挟持片８７が下流側フィン４６の回動に伴う下流側ギヤ７１の回動を妨げることはないため、乗員による下流側フィン４６の回動操作に伴い、下流側ギヤ７１の回動を中間ギヤ７３に確実に伝達することができる。
【００８５】
（７）吹出口２４を長方形状に形成し、下流側フィン４６を第２辺２６に沿う方向の中央部に配している。また、下流側フィン４６の回動に伴い、バレル５０が回動されて採り得る最大の傾きとなったときに、両第１壁部５１の一方が下流側フィン４６と略同一の平面上に位置するようにしている（図７、図９参照）。そのため、バレル５０の第１壁部５１に沿って流れる空気を、バレル５０を通過した後に、引き続き下流側フィン４６に沿ってスムーズに流れさせることができる。
【００８６】
（８）上流側フィン６１毎のピン６３の先端部を、バレル５０の下側の第１壁部５１から下方へ突出させ、バレル５０の回動に伴い、その軸５３を中心とする円弧状の経路に沿って移動させるようにしている。また、スライダ８１をバレル５０における下側の第１壁部５１の外側（下側）近傍に配置し、スライダ８１及びスリット８３を、上記経路に対応して通風路２２の外側へ膨らむ断面円弧状に形成している。そのため、バレル５０が軸５３を支点として回動させられたとき、ピン６３をスリット８３に係合した状態に維持することができる。
【００８７】
（第２実施形態）
次に、本発明を具体化した第２実施形態について、上記第１実施形態との相違点を中心に、図１３〜図１７に従って説明する。第２実施形態は、操作部の対象と、運動方向変換機構の構成とが第１実施形態と異なっている。なお、各図では、リテーナ２０についてはその一部（壁部２８）のみが図示されている。また、図１７（Ａ），（Ｂ）ではバレル５０及び回動伝達機構７０の図示が省略されている。
【００８８】
図１３、図１５及び図１６の少なくとも１つに示すように、下流側フィン４６は、軸４７においてリテーナ２０の壁部２８に回動可能に支持されているが、第１実施形態とは異なり、吹出口２４の第１辺２５（図１参照）に沿う方向には移動不能である。この下流側フィン４６の下流側近傍には、操作ノブ９３が操作部として第１辺２５に沿う方向への移動可能に設けられている。操作ノブ９３は、下流側フィン４６の下流側の端面に略平行な平板状をなし、下流側フィン４６の厚みｔ１（図１４参照）よりも小さな厚みｔ２（図１３参照）を有している。
【００８９】
そして、図１４に示すように、操作ノブ９３は、下流側フィン４６及び上流側フィン６１をともに中立状態にしたときの吹出口２４での通風方向に直交する面を投影面９４とした場合に、その投影面９４について操作ノブ９３の投影される箇所９５が、同投影面９４について下流側フィン４６の投影される箇所９６に含まれるように配置されている。
【００９０】
一方、図１７（Ａ）に示すように、下流側フィン４６の内部は中空状に形成されている。下流側フィン４６の下流側の壁部９７において、上記操作ノブ９３に対応する箇所には、吹出口２４の第１辺２５に沿う方向へ延びる長孔９８があけられている。下流側フィン４６内の所定箇所、ここでは長孔９８の両端近傍には、それぞれガイド孔１０１を有する一対の支持壁１０２が設けられている。
【００９１】
下流側フィン４６における一方（図１７（Ａ）の左方）の軸４７の中心には、シャフト１０３が第１辺２５に沿う方向への往復動可能に挿通されている。シャフト１０３の大部分は下流側フィン４６の内部に位置し、一部（一端部）は下流側フィン４６の軸４７及びリテーナ２０の壁部２８から外側方（図１７（Ａ）の左方）へ露出している。シャフト１０３は、下流側フィン４６の内部では上記両支持壁１０２のガイド孔１０１に挿通されている。そして、上記長孔９８に挿通された連結ピン１０４によって操作ノブ９３及びシャフト１０３が連結されている。シャフト１０３の上記一端部には、上流側部分にラックギヤ１０５を有するスライダギヤ１０６が固定されている。リテーナ２０の壁部２８には、上記シャフト１０３に対し平行に配置されたガイドバー１０７（図１５及び図１６参照、図１７（Ａ）では図示略）が固定されており、上記スライダギヤ１０６に設けられた孔１０８（図１３参照）に挿通されている。上述した操作ノブ９３、連結ピン１０４、シャフト１０３及びスライダギヤ１０６は相互に固定されていることから、操作ノブ９３が第１辺２５に沿う方向へ操作されると、上記の全ての部材が一体となって同方向へ移動することとなる。
【００９２】
バレル５０（図１７（Ａ）では図示略）内には、複数の上流側フィン６１が、吹出口２４の第１辺２５に沿う方向に並べられた状態で配設されている。各上流側フィン６１は、軸６２において第１壁部５１に対し回動可能に支持されている。これらの上流側フィン６１の上流側近傍には、吹出口２４の第１辺２５に沿う方向に延びる第１連結ロッド１０９が配置されている。そして、上記複数の上流側フィン６１は、それらの上流側端部においてピン１１０により上記第１連結ロッド１０９に連結されている。この第１連結ロッド１０９は、複数の上流側フィン６１を同期して作動（軸６２を支点として回動）させるためのものである。
【００９３】
リテーナ２０の壁部２８において、各上流側フィン６１の軸６２の外側方となる箇所には軸受板１１８（図１３参照）が突設されており、この軸受板１１８に軸１１１が回動可能に支持されている。軸１１１の下端部上には、この軸１１１を中心として回動し得る円板状の回動部材１１２が一体回動可能に取付けられている。軸１１１上には、回動部材１１２よりも小径のピニオンギヤ１１３が一体回動可能に取付けられている。そして、上述したスライダギヤ１０６のラックギヤ１０５がこのピニオンギヤ１１３に噛み合わされている。
【００９４】
さらに、上記回動部材１１２の下面であって上記軸１１１から下流側へ偏心した箇所にはピン１１４が下方へ向けて突設されている。また、リテーナ２０の壁部２８に最も近い箇所の上流側フィン６１において、同上流側フィン６１の軸６２よりも下流側にはピン１１５が設けられている。壁部２８にはスリット１１６があけられており、吹出口２４の第１辺２５に沿う方向に細長い第２連結ロッド１１７が、連結部材としてスリット１１６に挿通されている。そして、上述した回動部材１１２がピン１１４において上記第２連結ロッド１１７の一端部（図１７（Ａ）の左端部）に連結されるとともに、上流側フィン６１がその下流端のピン１１５において、第２連結ロッド１１７の他端部（図１７（Ａ）の右端部）に連結されている。
【００９５】
このようにして、第２実施形態における運動方向変換機構１００が構成されている。なお、第１実施形態とは異なり、スライダ８１及び直線運動伝達部材８５は用いられていない。上述した事項以外の構成（回動伝達機構７０を含む）は第１実施形態と同様である。そのため、第２実施形態において第１実施形態と同様の箇所、部材等については、第１実施形態と同一の符号を付して詳しい説明を省略する。
【００９６】
上記第２実施形態によると、乗員の操作により操作ノブ９３がリテーナ２０に対し第１辺２５に沿う方向、例えば図１７（Ｂ）に示すように左方へ移動させられると、その操作ノブ９３に連結された連結ピン１０４、シャフト１０３及びスライダギヤ１０６も操作ノブ９３と一体となってガイドバー１０７に沿って同方向へ移動する。
【００９７】
この移動に伴い、ラックギヤ１０５のピニオンギヤ１１３との噛み合い位置が変化し、同ピニオンギヤ１１３が回動部材１１２と一体となって、軸１１１を支点として回動させられる。この回動に伴い回動部材１１２のピン１１４が、同回動部材１１２の回動中心（軸１１１）の周りを変位する。この変位が連結部材（第２連結ロッド１１７）を介して特定の上流側フィン６１のピン１１５に伝達され、同上流側フィン６１が軸６２を支点として回動する。この回動は、第１連結ロッド１０９によって他の上流側フィン６１にも伝達される。このようにして、操作部（操作ノブ９３）の直線運動が、上流側フィン６１の軸６２を支点とした回動運動に変換される。この変換により、上流側フィン６１が軸６２を支点として回動し、その傾きが変化する。そのため、空調装置等からの空気は、リテーナ２０内を通過する際に、上流側フィン６１、バレル５０（上下の両第１壁部５１、補助フィン５４）及び下流側フィン４６によって流れ方向を変えられ、吹出口２４から操作ノブ９３の操作方向と同一の方向へ吹き出される。
【００９８】
この際、通風路２２に配置された部品である下流側フィン４６及び操作ノブ９３は通風抵抗となり、圧力損失の増大を招く。ここで、実開口面積（投影面９４において上流側フィン６１、下流側フィン４６及び操作ノブ９３が投影されていない箇所の面積）を通風抵抗の指標として用いた場合、通風路２２における上記フィン６１，４６、操作ノブ９３等の部品の存在により、実開口面積が小さくなるに従い通風抵抗が増し、圧力損失が増大する。従って、圧力損失の増大を抑えるうえでは、投影面９４において、上記フィン６１，４６及び操作ノブ９３が投影される箇所の面積を小さくすることが重要である。
【００９９】
この点、第２実施形態では、上記投影面９４について操作ノブ９３の投影される箇所９５が、同投影面９４について下流側フィン４６の投影される箇所９６に含まれるように操作ノブ９３が配置されている。そのため、投影面９４において下流側フィン４６及び操作ノブ９３の投影される箇所９５，９６の面積は、同投影面９４において下流側フィン４６のみの投影される箇所９６の面積と同じとなる。操作ノブが下流側フィンに外嵌されて操作ノブの厚みが下流側フィンの厚みよりも大きい場合（特許文献１，２がこれに該当する）に比べ、操作ノブ９３に起因する実開口面積の減少が少なくなり、通風抵抗が小さくなって圧力損失が抑制される。
【０１００】
ところで、第２実施形態では下流側フィン４６とは別に操作ノブ９３を設けているが、投影面９４について同操作ノブ９３の投影される箇所９５が、上述したように、同投影面９４について下流側フィン４６の投影される箇所９６に全て含まれる。そのため、空調用レジスタ１２を下流側から上流側に向かって見た場合、操作ノブが下流側フィンに外嵌されて操作ノブの厚みが下流側フィンの厚みよりも大きい場合とは異なり、操作ノブ９３が下流側フィン４６の厚み内に収まっているように見え、同操作ノブ９３が下流側フィン４６に対し厚み方向に膨出しているようには見えない。そのため、操作ノブ９３は空調用レジスタ１２の外観を低下させる要因とはなりにくい。
【０１０１】
以上詳述した第２実施形態によれば、上述した（３）〜（５），（７）に記載の効果に加え、次の効果が得られる。なお、下記（１ａ）に記載の効果は、上述した（１）に記載の効果に対応するものであり、下記（２ａ）に記載の効果は、上述した（２）に記載の効果に対応するものである。
【０１０２】
（１ａ）下流側フィン４６に対し操作ノブ９３を操作部として吹出口２４の第１辺２５に沿う方向への移動可能に設ける。下流側フィン４６及び上流側フィン６１をともに中立状態にしたときの吹出口２４での通風方向に直交する面を投影面９４とした場合に、投影面９４について操作ノブ９３の投影される箇所９５が、同投影面９４について下流側フィン４６の投影される箇所９６に含まれるように操作ノブ９３を配置している。さらに、操作ノブ９３と上流側フィン６１との間には、第１辺２５に沿う方向への操作ノブ９３の直線運動を上流側フィン６１の軸６２を支点とする回動運動に変換する運動方向変換機構１００を設けている。
【０１０３】
そのため、乗員が操作ノブ９３の操作を通じて下流側フィン４６を上下に回動させることで、空気の上下方向についての吹出し方向を変えることができる。また、乗員が操作ノブ９３を第１辺２５に沿う方向へ移動させることで、上流側フィン６１を左右に回動させて、空気の左右方向についての吹出し方向を変えることができる。
【０１０４】
また、空調用レジスタ１２を下流側から上流側に向かって見た場合、操作ノブ９３が下流側フィン４６の厚み内に収まっているように見えるようにすることができる。そのため、操作ノブ９３が設けられているものの、その操作ノブ９３に起因する空調用レジスタ１２の外観の低下を抑制することができる。
【０１０５】
さらに、操作ノブ９３に起因する実開口面積の減少を少なくし、通風抵抗を小さくして圧力損失の増大を抑制することができる。
（２ａ）運動方向変換機構１００として、上流側フィン６１のピン１１５、回動部材１１２、第２連結ロッド１１７（連結部材）、ラックギヤ１０５及びピニオンギヤ１１３を備えるものを採用している。そのため、操作ノブ９３を吹出口２４の第１辺２５に沿う方向へ移動させることにより、ラックギヤ１０５のピニオンギヤ１１３との噛み合い位置を変化させ、軸６２を支点として上流側フィン６１を回動させることができる。
【０１０６】
（２ｂ）上記（２ａ）に関連して、上流側フィン６１の下流側のピン１１５と回動部材１１２とを、その上流側フィン６１の下流側に配置した第２連結ロッド１１７によって連結している。そのため、上流側フィン６１において軸６２よりも下流側部分を、操作ノブ９３の操作方向と同一方向へ回動させ、吹出口２４からの空気の吹出し方向を、操作ノブ９３の操作方向と一致させることができる。
【０１０７】
なお、本発明は次に示す別の実施形態に具体化することができる。
（ａ）上記第１及び第２実施形態について、バレル５０における補助フィン５４を省略してもよい。
【０１０８】
（ｂ）上記第１及び第２実施形態について、バレル５０及び回動伝達機構７０を省略し、各上流側フィン６１を、その軸６２においてリテーナ２０の上下の両壁部２７に回動可能に支持する構成に変更してもよい。この場合には、空気の上下方向についての流れ方向を、下流側フィン４６のみによって変更することになる。
【０１０９】
（ｃ）上記（ｂ）において、空気の流れ方向を上下方向により確実に変更する場合には、空気の流通方向についての下流側フィン４６の長さを長くしたり、下流側フィン４６の数を複数枚に変更したりすることも有効である。
【０１１０】
（ｄ）上記第１及び第２実施形態について、リテーナ２０の下側の壁部２７における吹出口２４の近傍部分を、下流側ほど低くなるように傾斜させてもよい。
（ｅ）第１実施形態において、各ピン６３を各上流側フィン６１の軸６２から下流側へ偏心した箇所に設けてもよい。
【０１１１】
（ｆ）第１実施形態において、スライダ８１の厚み方向に貫通するスリット８３に代えて、有底の溝部をスライダ８１に設け、上流側フィン６１のピン６３をこの溝部に係入させてもよい。
【０１１２】
（ｇ）上記第２実施形態では、下流側フィン４６は回動可能であるものの吹出口２４の第１辺２５に沿う方向には移動不能である。これに伴い下流側フィン４６の軸４７上の下流側ギヤ７１も第１辺２５に沿う方向には移動しない。そのため、第１実施形態とは異なり、下流側フィン４６を中間ギヤ７３の軸線方向へ相対移動させ得るための構成、すなわち、下流側ギヤ７１及び中間ギヤ７３を平歯車とする必要がなくなる。従って、下流側ギヤ７１及び中間ギヤ７３を平歯車とは異なる種類の歯車によって構成してもよい。
【０１１３】
（ｈ）上記第１及び第２実施形態では、長方形の吹出口２４を有する薄型の空調用レジスタ１２を例にとって説明したが、本発明は、矩形の吹出口２４を有する空調用レジスタ１２であれば広く適用可能である。
【０１１４】
（ｉ）本発明は、吹出口が縦長となるように配置される空調用レジスタにも適用可能である。
【図面の簡単な説明】
【０１１５】
【図１】本発明を具体化した第１実施形態における空調用レジスタの正面図。
【図２】同実施形態の運動方向変換機構におけるスライダ、直線運動伝達部材、下流側ギヤの対応関係を示す部分斜視図。
【図３】同実施形態における空調用レジスタの側断面図。
【図４】同実施形態における空調用レジスタの側面図。
【図５】同実施形態における空調用レジスタの平断面図。
【図６】同実施形態におけるスライダ、直線運動伝達部材、下流側フィン等の位置関係を示す平面図。
【図７】図３の状態から下流側フィンを上方へ回動させたときの空調用レジスタの側断面図。
【図８】図４の状態から下流側フィンを上方へ回動させたときの空調用レジスタの側面図。
【図９】図３の状態から下流側フィンを下方へ回動させたときの空調用レジスタの側断面図。
【図１０】図４の状態から下流側フィンを下方へ回動させたときの空調用レジスタの側面図。
【図１１】図５の状態から下流側フィンを左方へ移動させたときの空調用レジスタの平断面図。
【図１２】図５の状態から下流側フィンを右方へ移動させたときの空調用レジスタの平断面図。
【図１３】本発明を具体化した第２実施形態における空調用レジスタの主要部の側面図。
【図１４】同実施形態において、下流側フィン及び操作ノブの両者が投影された投影面を示す説明図。
【図１５】同実施形態における空調用レジスタの主要部の平面図。
【図１６】同実施形態における空調用レジスタの主要部の底面図。
【図１７】（Ａ），（Ｂ）は同実施形態における運動方向変換機構の作用を説明する部分平断面図。
【符号の説明】
【０１１６】
１２…空調用レジスタ、２０…リテーナ、２２…通風路、２４…吹出口、２５…第１辺、２６…第２辺、２７，２８，９７…壁部、２８Ａ…下流端、４６…下流側フィン（第１実施形態での操作部）、４７，５３，６２，１１１…軸、５０…バレル、５１…第１壁部、５２…第２壁部、６１…上流側フィン、６３，１１０，１１４，１１５…ピン、７０…回動伝達機構、７１…下流側ギヤ、７２…上流側ギヤ、７３…中間ギヤ、８０，１００…運動方向変換機構、８１…スライダ、８３，１１６…スリット、９３…操作ノブ（第２実施形態での操作部）、９４…投影面、９５，９６…箇所、１０５…ラックギヤ、１１２…回動部材、１１３…ピニオンギヤ、１１７…第２連結ロッド（連結部材）。
【図１】
2009132262.tif 000003
【図２】
2009132262.tif 000004
【図３】
2009132262.tif 000005
【図４】
2009132262.tif 000006
【図５】
2009132262.tif 000007
【図６】
2009132262.tif 000008
【図７】
2009132262.tif 000009
【図８】
2009132262.tif 000010
【図９】
2009132262.tif 000011
【図１０】
2009132262.tif 000012
【図１１】
2009132262.tif 000013
【図１２】
2009132262.tif 000014
【図１３】
2009132262.tif 000015
【図１４】
2009132262.tif 000016
【図１５】
2009132262.tif 000017
【図１６】
2009132262.tif 000018
【図１７】
2009132262.tif 000019